(57)【要約】【課題】防音板の周縁に枠体を形成するに当たり、それに係わる部材や手間の少ない防音パネルを提供する。【解決手段】上下横枠体２に設けられた取付平面２３に、左右縦枠体１に設けられたビス孔１２の端部１１を突き合わせて締結手段Ｂにより固定することで、余分な部材を必要とすることなく左右縦枠体１と上下横枠体２とを固定することができ、また固定に係わる箇所は左右縦枠体１と上下横枠体２とが接する部位に対して一ヶ所だけで済み、防音板３周囲への枠体の形成に係わる部材や手間を少ないものとできる。【参照図】        図２【特許請求の範囲】
【請求項１】
防音板周囲の左右及び上下に左右縦枠体と上下横枠体が取り付けられ、左右縦枠体と上下横枠体とが締結手段により固定された防音パネルであって、左右縦枠体又は上下横枠体の、いずれか一方には締結手段が挿通可能な複数の貫通孔が穿設されると共に取付平面が備えられ、他方の端部は前記締結手段を螺着可能な固定手段が、端部を前記取付平面に対向して略同一の高さで複数設けられ、左右縦枠体と上下横枠体とが突き合わされて前記取付平面に前記固定手段の端部の全てが当接され、前記貫通孔に挿通された締結手段を前記固定手段に螺着することで左右縦枠体と上下横枠体とが固定されていることを特徴とする防音パネル。
【請求項２】
前記固定手段は、押出により同一断面形状で連続的に、左右縦枠体又は上下横枠体のいずれか一方に一体で形成されたものであることを特徴とする請求項１に記載の防音パネル。
【発明の詳細な説明】
【技術分野】
【０００１】
本発明は、本発明は、騒音防止のため道路や鉄道等の交通路の側縁に設置され、防音板の周縁に枠体が形成された防音パネルに関するものである。
【背景技術】
【０００２】
従来、防音パネルは、とりわけ防音板に透光板を用い、周囲の眺望や採光を確保できるものが数多く用いられてきているが、かかる防音パネルの形成においては、防音板の周囲に枠体を取着することで透光性を確保すると共に、枠体により風荷重等に耐えうる強度を確保するようになされる構造が採られる場合が多く、その構造に関しては種々の発明が開示されてきている。
【０００３】
例えば特許文献１において、アルミニウム押し出し成形の型材で周辺枠を形成し、同周辺枠の面内に透光系の合成樹脂板を嵌め込み固定して成る道路用透光型防音壁パネルにおいて、透光系の合成樹脂板は、周辺枠を形成する各型材に設けられた溝壁に片面を拘束され、前記半溝部に欠けた溝壁を形成する押縁によって他側面を拘束されて周辺枠に固定され、周辺枠を形成する縦枠と上辺枠又は下辺枠とは、各々が形成するコーナー部にそれぞれ個別に固定した飛散防止用の枠繋ぎプレート同士を相互にボルト止めにより連結している道路用透光型防音壁パネルが開示されている。
【０００４】
【特許文献１】特開２０００−２６５４２１号公報
【発明の開示】
【発明が解決しようとする課題】
【０００５】
しかしながら、特許文献１に記載の如き防音壁パネルでは、枠繋ぎプレートが必要となり、余分な部材が必要となると共に、枠繋ぎプレートに対し周辺枠それぞれをボルト止めする必要があり、例えば矩形のパネルにおいては少なくとも８ヶ所のボルト止めが必要となり、形成の手間が非常にかかるものであった。
【０００６】
本発明は上記の如き課題に鑑みてなされたものであり、防音板の周縁に枠体を形成するに当たり、それに係わる部材や手間の少ない防音パネルを提供せんとするものである。
を提供せんとするものである。
【課題を解決するための手段】
【０００７】
上記目的を解決するため、本発明は以下のような構成としている。すなわち、本発明に係わる防音パネルは、防音板周囲の左右及び上下に左右縦枠体と上下横枠体が取り付けられ、左右縦枠体と上下横枠体とが締結手段により固定された防音パネルであって、左右縦枠体又は上下横枠体の、いずれか一方には締結手段が挿通可能な複数の貫通孔が穿設されると共に取付平面が備えられ、他方の端部は前記締結手段を螺着可能な固定手段が、端部を前記取付平面に対向して略同一の高さで複数設けられ、左右縦枠体と上下横枠体とが突き合わされて前記取付平面に前記固定手段の端部の全てが当接され、前記貫通孔のそれぞれに挿通された複数の締結手段を前記固定手段に螺着することで左右縦枠体と上下横枠体とが固定されていることを特徴とするものである。
【０００８】
また前記固定手段は、押出により同一断面形状で連続的に、左右縦枠体又は上下横枠体のいずれか一方に一体で形成されたものであることを特徴とするものである。
【発明の効果】
【０００９】
請求項１に記載の、本発明に係わる防音パネルによれば、左右縦枠体と上下横枠体とを突き合わせて締結手段を固定手段に螺着するだけで余分な部材を必要とすることなく左右縦枠体と上下横枠体とを固定することができ、また固定に係わる箇所は左右縦枠体と上下横枠体とが接する部位に関して一ヶ所だけで済み、防音板周囲への枠体の形成に係わる部材や手間を少ないものとできる。また複数設けられた固定手段の端部が取付平面に対向して略同一の高さとなされていることで、締結手段の螺着後、固定した枠体同士ががたついたりすることがなく、枠体同士は強固に固定される。
【００１０】
また請求項２の発明によれば、固定手段が同一断面形状で連続的に形成されていることで、固定手段が設けられた枠体の途中を切断するのみで固定手段を締結手段が螺着可能な状態とすることができ、枠体の加工の手間を少なくすることができ好ましい。また枠体の途中を切断するにおいて、枠体の延びる方向と切断する方向との角度を調節することのみで、従来の防音パネルでは作製が困難であった勾配部用のパネルを容易に作製することができ好ましい。
【発明を実施するための最良の形態】
【００１１】
本発明に係わる最良の実施の形態について、図面に基づき以下に具体的に説明する。
図１及び図２は、本発明に係わる実施の一形態を示すもので、図１は防音板への枠体の取り付けの、防音パネル全体を示す説明図、図２は左右縦枠体と上下横枠体との取付部分の詳細を示す説明図である。本実施形態においては、上下横枠体２に取付平面が形成され、左右縦枠体１に固定手段が形成されている。まず図１において、防音板３に対して左右縦枠体１及び上下横枠体２が組み付けられる。左右縦枠体１及び上下横枠体２にはそれぞれ防音板３の端縁が挿入可能な取付溝Ｍが設けられ、取付溝Ｍに防音板３の端縁が挿入されて左右縦枠体１と上下横枠体２が固定されることで、防音板３が枠体により保持されて防音パネルが形成される。
【００１２】
図２において、左右縦枠体１はアルミニウム押出形材で同一断面形状が連続して形成されたものであり、断面中に固定手段となるねじ孔１２が４ヶ所に形成されている。左右縦枠体１の途中を直線的に切断することで、上下横枠体２の平坦な取付平面２３に対向して固定手段となるねじ孔１２の端部１１の高さは略同一となされる。上下横枠体２はボックス形状の断面を有し、ボックス形状を形成する下板部２１にはビス孔１２に対応して４ヶ所の貫通孔２２が穿設された取付平面２３が形成されている。上板部２４には、ビス孔１２へのビス止めのための工具孔２５が穿設され、上下横枠体２の端部には落下防止用索条を通す切欠き部２６が設けられている。
【００１３】
上下横枠体２の取付平面２３に穿設された貫通孔２２に、締結手段となるビスＢを挿通し、左右縦枠体１のビス孔１２の端部１１から、ビス孔１２にビスＢを螺着することで、左右縦枠体１と上下横枠体２とが固定され、他の箇所についても同様の固定を行うことで防音板３が枠体に保持された防音パネルが形成される。ビス孔１２の端部１１及び取付平面２３は、左右縦枠体１及び上下横枠体２それぞれに一対に設けられていればよく、左右縦枠体１に取付平面、上下横枠体２に固定手段を形成してもよい。また、ビスＢが挿通されまた螺着されるビス孔１２及び貫通孔２２については、２ヶ所でもよいが、固定状態において安定する３ヶ所以上設けるのが好ましく、固定及び枠体の強度、取り付けや加工の手間を考慮して適宜の数としてよい。
【００１４】
防音板３は、遮音性能を有するものであれば特に限定されるものではなく、透光性のものについてはポリエチレンテレフタレート、ポリエチレン、ポリプロピレン、アクリル樹脂、ポリ塩化ビニル、ＡＢＳ等でもよいが、衝撃に対する強度の高いポリカーボネートが好適である。また透光性でないものについては、合成樹脂材料、金属材料、無機材料等を単独で用いるか、又は複数或いは金属、繊維等と組み合わせて用いて混合物、積層物を形成して適用してもよく、また透光性の有無に係わらず吸音性を有するものであってもよい。
【００１５】
左右縦枠体１及び上下横枠体２の形成には、軽量で強度が高く、断面形状を形成する上で自由度の高いアルミニウム押出形材を好適に用いることができるが、特に限定されるものではなく、防音板３にかかる風荷重に耐えて保持する必要があることから強度の高い金属材料を用いるのが好ましく、鋼板や亜鉛めっき鋼板、アルミニウム板、ステンレス板の曲げ加工品等を用いてもよい。
【００１６】
図３は、勾配部に設置される防音パネルの形成における図２のＡ−Ａ断面図である。イ）は左右縦枠体１と上下横枠体２とが垂直に取り付けられるものであるが、勾配部に設置される防音パネルにおいては、防音パネルが取り付けられる支柱は水平面に対し垂直に立設されるために、左右縦枠体１と上下横枠体２とが形成する角度を変更する必要がある。その角度に応じてＢ−Ｂ線に示す如く取付端面１１が形成されている左右縦枠体１の端部を切断してビスＢが螺着可能な新たなビス孔１２の端部１１を形成し、上下横枠体２の貫通孔２２及び工具孔２５をビス孔１２の位置に合わせて穿設するのみで、垂直の場合と同様に貫通孔２２にビスＢを挿通してビス孔１２に螺着して左右縦枠体１と上下横枠体２とは固定され、極めて容易に勾配部に設置される防音パネルの形成にも対応することができる。
【図面の簡単な説明】
【００１７】
【図１】本発明に係わる防音パネルの、実施の一形態を示す説明図である。
【図２】図１の、枠体の取り付けの詳細を示す説明図である。
【図３】勾配部に設置される防音パネルの形成を示す断面図である。
【符号の説明】
【００１８】
１    左右横枠体
１１  固定手段の端部
１２  ビス孔（固定手段）
２    上下横枠体
２３  取付平面
３    防音板
Ｂ    ビス（締結手段）
【図１】
2005097956.tif 000002
【図２】
2005097956.tif 000003
【図３】
2005097956.tif 000004